(57)【要約】【課題】ある光ディスク記録装置で記録した書換型光ディスクを別の光ディスク記録装置でオーバーライトしても、ジッタが悪化せずエラーレートの低いデータを得られる光ディスク記録方法及び光ディスク記録装置を提供する。【解決手段】書換型光ディスクの最適記録パワー時のクロストーク量を記憶しておき、書換型光ディスクにデータをオーバーライトする際に、この書換型光ディスクに記録されたデータを再生して、再生信号中のクロストーク量を検出して、このクロストーク量と基準クロストーク量とを比較する。クロストーク量は、ピットの幅が太くなるほど、つまり記録パワーが高いほど大きくなるという特性があるので、クロストーク量を比較することで、記録パワー値を検出することが可能であり、この特性を利用して、両データのクロストーク量を比較して、この比較結果に応じて消去パワーや記録パワーなどの記録条件を変更してオーバーライトする。【選択図】図８
2004273073.tif 000002
【特許請求の範囲】
【請求項１】
書換型光ディスクに記録されている旧データ上に新データを上書きする時に、この旧データを再生することによってまたは再生波形から旧データの記録条件を割り出して、この記録条件で記録されたデータを上書きするための上書き記録条件を決定し、この上書き記録条件を適用して旧データ上に新データを上書きすることを特徴とする光ディスク記録方法。
【請求項２】
書換型光ディスクに記録されている旧データ上に新データを上書きする時に、この旧データの再生信号からクロストーク量を検出し、前記検出したクロストーク量に基づいて記録条件を設定し、この記録条件を適用して新データを上書きすることを特徴とする光ディスク記録方法。
【請求項３】
前記記録条件を、前記検出したクロストーク量と基準クロストーク量との差に応じて設定する請求項２に記載の光ディスク記録方法。
【請求項４】
前記基準クロストーク量は、前記書換型光ディスクの試し書き領域で試し書きを行って最適記録パワーを決定し、この最適記録パワーで記録したデータの再生信号から検出したクロストーク量である請求項３に記載の光ディスク記録方法。
【請求項５】
書換型光ディスクに記録されている旧データ上に新データを上書きする時に、前記旧データの再生信号の振幅のピークトゥピーク値を取得し、前記振幅のピークトゥピーク値に基づいて記録条件を設定し、この記録条件を適用して新データを上書きすることを特徴とする光ディスク記録方法。
【請求項６】
前記記録条件を、前記書換型光ディスクの試し書き領域で試し書きを行って最適記録パワーを決定し、この最適記録パワーで記録したデータの再生信号の振幅のピークトゥピーク値と、旧データの再生信号の振幅のピークトゥピーク値と、の差に応じて設定する請求項５に記載の光ディスク記録方法。
【請求項７】
書換型光ディスクに記録されている旧データ上に新データを上書きする時に、前記書換型光ディスクの試し書き領域へ照射するレーザパワーを所定量ずつ変化させながら試し書きを行い、この試し書きを行ったデータの再生信号から最適記録パワーを決定し、この最適記録パワーによって記録されたデータの再生信号の振幅のピーク値とボトム値とから第１の振幅のピークトゥピーク値を取得し、
前記旧データを再生した再生信号の振幅のピーク値とボトム値とから第２の振幅のピークトゥピーク値を取得し、
前記第１の振幅のピークトゥピーク値と前記第２の振幅のピークトゥピーク値との差に応じて、前記書換型光ディスクへ照射するレーザ光の消去パワーを補正し、この補正した消去パワーを適用して新データを上書きすることを特徴とする光ディスク記録方法。
【請求項８】
書換型光ディスクに記録されたデータを再生する再生手段と、
前記再生手段の再生信号からクロストーク量を検出するクロストーク検出手段と、
前記クロストーク検出手段が検出したクロストーク量に基づいて記録条件を設定する記録条件設定手段と、
前記記録条件設定手段によって設定された記録条件を適用して前記旧データ上に新データを上書きする記録手段と、
を備えたことを特徴とする光ディスク記録装置。
【請求項９】
書換型光ディスクに記録されたデータを再生する再生手段と、
前記再生手段の再生信号の振幅のピークトゥピーク値を取得するエンベロープ検出手段と、
前記エンベロープ検出手段が取得した振幅のピークトゥピーク値に基づいて記録条件を設定する記録条件設定手段と、
前記記録条件設定手段によって設定された記録条件を適用して前記旧データ上に新データを上書きする記録手段と、
を備えたことを特徴とする光ディスク記録装置。
【発明の詳細な説明】
【０００１】
【発明の属する技術分野】
書換型光ディスクにデータを上書きする際に、光ディスクに記録された旧データを再生して記録条件を推測し、再生信号に応じた記録条件を適用してデータを記録する光ディスク記録方法、及び光ディスク記録装置に関する。
【０００２】
【従来の技術】
書換型光ディスクには、ＣＤ−ＲＷ、ＤＶＤ−ＲＷ、ＤＶＤ＋ＲＷ、ＤＶＤ−ＲＡＭなどがあり、これらはメーカーによって、また同じメーカーの書換型光ディスクでも型式によって記録特性が異なっている。光ディスク記録装置は、通常、書換型光ディスクにデータを書き込む際に、光ディスクに記録されている書換型光ディスクの識別情報（ディスクＩＤ）を検出するとともに、ＯＰＣ（Ｏｐｔｉｍｕｍ  Ｐｏｗｅｒ  Ｃｏｎｔｒｏｌ：最適記録パワー決定動作）を行って、その書換型光ディスク  に最適な記録パワー値を決定し、記録品位が最適となるように記録条件を調整してからデータの書き込みを行っている（例えば、特許文献１参照。）。
【０００３】
【特許文献１】
特開平１１−７６４５号公報（第５−７頁、第５，６図）
【０００４】
【発明が解決しようとする課題】
しかしながら、特許文献１に記載の光ディスク装置では、他の光ディスク装置でデータを記録した光ディスクにオーバーライト（上書き）を行って、この光ディスクを再生すると、ジッタが悪くエラーレートが高い場合があるという問題があった。
【０００５】
これは、光ディスク記録装置は、メーカーや型式が異なると記録条件が異なっているのに対して、特許文献１に記載の光ディスク装置では、自装置の装置識別情報と書き込み可能な光ディスクのディスク識別情報とを対応させて記憶しているため、他の光ディスク装置でデータを記録した光ディスクにオーバーライト（上書き）を行う場合には、ＯＰＣを行わなければ最適記録パワー値を求めることができなかったからである。また、ＯＰＣを行って最適記録パワー値を求めてからデータを記録しても、旧データを記録した光ディスク記録装置と記録条件が異なるために、旧データを完全に消去できない場合があるからである。
【０００６】
光ディスク記録装置は、メーカーや型式によって書換型光ディスクに照射するレーザ光の記録パワー、消去パワー、ボトムパワーなどの設定が異なるため、以下のような記録特性を示す。図１は、書換型光ディスクのオーバーライト回数とジッタとの関係、及び異なる記録パワーで光ディスクにオーバーライトを行った時のジッタの変化を示したグラフである。なお、図１には、同じ型式の書換型光ディスクに対して、異なる記録パワーで連続してオーバーライトした場合を示している。また、記録パワーの大きさはＰ２ｗ＜Ｐ０ｗ＜Ｐ１ｗで、Ｐ０ｗが最適記録パワーである。
【０００７】
（１）書換型光ディスクは、照射されるレーザ光の記録パワーに応じて、再生時のジッタ及びオーバーライトの実行可能回数が異なる値となる。すなわち、図１（Ａ）に示すように、書換型光ディスクに対して最適記録パワーＰ０ｗで記録した場合、１回目でジッタが悪化するが、オーバーライトの回数が増えるに連れてジッタが徐々に改善する。そして、１０回程度オーバーライトを行うと、それ以降はジッタが安定し、１０００回を超えると急激にジッタが悪化する。したがって、ユーザは、書換型光ディスクに対して最適記録パワーＰ０ｗで記録した場合、Ｏｒａｎｇｅ  Ｂｏｏｋ  Ｐａｒｔ３に規定された書換可能回数である１０００回はオーバー  ライトを行うことができる。
【０００８】
また、書換型光ディスクに対して最適記録パワーＰ０ｗよりも強い記録パワーＰ１ｗで記録した場合、オーバーライト回数が少ない時でもジッタが悪化せず安定しており、また、最適記録パワーＰ０ｗの時よりも常にジッタが良い。しかしながら、光ディスクの劣化が早く、１０００回よりも少ないオーバーライト回数で急激にジッタが悪化する。したがって、ユーザは、書換型光ディスクに対して記録パワーＰ１ｗで記録した場合、書換型光ディスクの寿命が短くなってしまうため、１０００回よりも大幅に少ない回数しかオーバーライトを行うことができない。
【０００９】
一方、書換型光ディスクに対して最適記録パワーＰ０ｗよりも弱い記録パワーＰ２ｗで記録した場合、最適記録パワーＰ０ｗの場合と同様の特性を示すが、ジッタの値は最適記録パワーＰ０ｗの時よりも常に悪い値となる。また、光ディスクの劣化が遅く、オーバーライトを１０００回以上行うとジッタが悪化する。したがって、ユーザは、書換型光ディスクに対して記録パワーＰ２ｗで記録した場合、書換型光ディスクの寿命が長くなるため、１０００回よりも多くオーバーライトを行うことができる。
【００１０】
（２）書換型光ディスクは、ある記録パワーでデータを記録後に、異なる記録パワーでオーバーライトすると、ジッタが変化する。すなわち、光ディスクに照射するレーザ光の記録パワーがＰ２ｗ＜Ｐ０ｗ＜Ｐ１ｗの関係である場合、図１（Ｂ）に示すように、書換型光ディスクに対して記録パワーＰ２ｗで記録後に、記録パワーＰ０ｗ（＞Ｐ２ｗ）でオーバーライトすると、ジッタが良くなる。また、書換型光ディスクに対して記録パワーＰ０ｗで記録後に、同じ記録パワーＰ０ｗでオーバーライトすると、ジッタは変化しない。一方、書換型光ディスクに対して記録パワーＰ１ｗで記録後に記録パワーＰ０ｗ（＜Ｐ１ｗ）でオーバーライトすると、ジッタが悪くなる。
【００１１】
（３）書換型光ディスクは、照射されるレーザ光のスポット形状が同じ場合、形成されるピットの幅は記録パワーを強くすると広くなる。図２は、書換型光ディスクに形成されるピットの形状を示した図である。例えば、光ディスクに照射するレーザ光の記録パワーの関係がＰ２ｗ＜Ｐ０ｗ＜Ｐ１ｗである場合、図２に示すように、記録パワーが大きくなるのに従って、ピットの幅が大きくなり、各ピットの幅はＷ２＜Ｗ０＜Ｗ１の関係となる。また、光ディスクに照射するレーザ光の消去パワーの関係がＰ２ｅ＜Ｐ０ｅ＜Ｐ１ｅである場合、消去パワーが大きくなるのに従って、消去範囲が広くなる。
【００１２】
図２に示した例では、記録パワーＰ２ｗのレーザ光を照射して形成したピットは、レーザ光の消去パワーがＰ２ｅ以上であれば完全に消去できる。つまり、消去パワーがＰ２ｅ，Ｐ０ｅ，Ｐ１ｅで消去できる。また、記録パワーＰ０ｗのレーザ光を照射して形成したピットは、レーザ光の消去パワーがＰ０ｅ以上であれば完全に消去できる。つまり、消去パワーがＰ０ｅ，Ｐ１ｅで完全に消去できるが、消去パワーがＰ２ｅでは完全には消去できず端部が残ってしまう。さらに、記録パワーＰ１ｗのレーザ光を照射して形成したピットは、レーザ光の消去パワーがＰ１ｅ以上であれば完全に消去できる。つまり、消去パワーがＰ１ｅで完全に消去できるが、消去パワーがＰ２ｅ，Ｐ０ｅでは完全には消去できず、端部が残ってしまう。
【００１３】
したがって、旧データを記録した光ディスク記録装置と異なる光ディスク記録装置で書換型光ディスクにオーバーライトすると、以下のような現象が発生する。図３は、書換型光ディスクにオーバーライトする際のイメージ図である。すなわち、図３（Ａ）に示すように、書換型光ディスクに対して、記録パワーＰ２ｗで記録後に消去パワーＰ０ｅ、記録パワーＰ０ｗ（＞Ｐ２ｗ）のレーザ光を照射してオーバーライトした場合、記録パワーＰ２ｗのレーザ光を照射して形成した元のピットは、照射パワーＰ０ｅのレーザ光によって完全に消去されるので、記録パワーＰ２ｗで形成したピットが残らない。また、記録パワーＰ０ｗのレーザ光を照射してピットを形成すると、図１（Ｂ）に示したように記録パワーＰ０ｗのレーザ光を照射した方がジッタが良いので、ジッタが改善されてエラーレートが低くなる。
【００１４】
一方、図３（Ｂ）に示すように、書換型光ディスクに対して、記録パワーＰ１ｗで記録後に消去パワーＰ０ｅ、記録パワーＰ０ｗ（＜Ｐ１ｗ）のレーザ光を照射してオーバーライトした場合、記録パワーＰ１ｗレーザ光を照射して形成した元のピットは、消去パワーＰ０ｅのレーザ光を照射しても消去範囲が狭いために完全に消去されずに端部が残ってしまう。また、記録パワーＰ０ｗのレーザ光を照射して形成したピットは、記録パワーＰ１ｗのレーザ光を照射して形成したピットよりも幅が狭いため、元のピットの端部と新しく形成したピットとが重なる部分ができる。そのため、ジッタが悪くなりエラーレートが高くなる。
【００１５】
また、光ディスク記録装置では、メーカーや型式によってライトストラテジの設定が異なっている。図４は、書換型光ディスク用のライトストラテジの一例である。さらに、一般的に書換型光ディスクのレーザパワーの制御は、ライトストラテジを設定して行うが、ファームウェアのバージョンを変更した際に、記録パワーＰｗ、消去パワーＰｅ、及びボトムパワーＰｂが同時に変更されたり、これらのいずれかが変更されたりする。このように、記録パワーＰｗ、消去パワーＰｅ、またはボトムパワーＰｂの少なくともいずれかが変更されると、同じ光ディスク記録装置であっても、前に記録したデータを完全に消去できずにピットの端部が残って、ジッタが悪くなりエラーレートが高くなる。
【００１６】
光ディスク記録装置が光ディスクに照射するレーザ光のスポット形状は、光ディスク記録装置のメーカーによって異なっている。図５は、光ディスク記録装置のレーザ光のスポット形状及び書換型光ディスクに形成されるピットの形状を示した図である。図５に示すように、書換型光ディスクがＣＤ−ＲＷの場合、光ディスク記録装置のスポット形状は、スポット進行方向に対してＡ社製が横長の楕円形、Ｂ社製が縦長の楕円形、Ｃ社製が斜め方向に長い楕円形である。また、書換型光ディスクがＤＶＤ−ＲＷ、ＤＶＤ＋ＲＷ、ＤＶＤ−ＲＡＭの場合、光ディスク記録装置のスポット形状は、円形、縦長楕円、横長楕円、斜め方向に長い楕円が存在する。
【００１７】
このようにレーザ光のスポット形状が異なっているため、書換型光ディスクに形成されるピットの形状（幅）は、図５に示したように、光ディスクの記録装置のメーカーによって異なったものとなる。そのため、あるメーカーの光ディスク記録装置でデータを記録した書換型光ディスクに、別のメーカーの光ディスク記録装置でデータをオーバーライトした場合、記録パワーや消去パワーが同じ値に設定されていたとしても、図３（Ｂ）に基づいて説明した現象と同様の現象が発生する。すなわち、図５（Ａ）に示したスポット形状のレーザ光を照射して書換型光ディスクＤにデータを記録後に、図５（Ｂ）に示したスポット形状のレーザ光を照射してデータのオーバーライトした場合には、元のピットの端部が消去されずに残るため、ジッタが悪くなりエラーレートが高くなる。一方、図５（Ｂ）に示したスポット形状のレーザ光を照射して書換型光ディスクＤにデータを記録後に、図５（Ａ）に示したスポット形状のレーザ光を照射してデータのオーバーライトした場合には、元のピットが完全に消去されるので、ジッタが良くなり、エラーレートが低くなる。
【００１８】
また、光ディスク記録装置では、一般的に、記録速度を変更した場合でも、同じ幅（形状）のピットが形成され、オーバーライトする場合には、旧データが完全に消去できるように記録パワーや消去パワーが設定されている。しかしながら、レーザダイオードや書換型光ディスクの材料のばらつきなどにより、記録速度が異なると、形成されるピットの幅（形状）が異なり、オーバーライトする場合には、以前に形成したピットを完全に消去できない場合がある。例えば、４倍速で記録した書換型光ディスクに１倍速でオーバーライトすると、４倍速で記録したピットを完全に消去できないために、ジッタが悪くなってエラーレートが高くなる場合がある。
【００１９】
以上のように、従来の光ディスク記録装置では、メーカー、型式、ファームウェアのバージョン、記録速度などによって書換型光ディスクに照射するレーザ光の記録パワー、消去パワー、ボトムパワー、ライトストラテジ、スポット形状などの記録条件が異なっていた。また、書換型光ディスクは、記録条件に応じて記録特性が異なっていた。そのため、ある光ディスク記録装置でデータを記録した書換型光ディスクに対して、別の光ディスク記録装置でオーバーライトすると、書換型光ディスクに形成されたピットを完全に消去したり、新たなピットで元のピットを覆うように形成することができないために、ジッタが悪くなりエラーレートが高くなっていた。
【００２０】
そこで、本発明は、ある光ディスク記録装置で記録した書換型光ディスクを別の光ディスク記録装置でオーバーライトしても、ジッタが悪化せずエラーレートの低いデータを得られる光ディスク記録方法及び光ディスク記録装置を提供することを目的とする。
【００２１】
【課題を解決するための手段】
この発明は、上記の課題を解決するための手段として、以下の構成を備えている。
【００２２】
（１）書換型光ディスクに記録されている旧データ上に新データを上書きする時に、この旧データを再生することによってまたは再生波形から旧データの記録条件を割り出して、この記録条件で記録されたデータを上書きするための上書き記録条件を決定し、この上書き記録条件を適用して旧データ上に新データを上書きすることを特徴とする。
【００２３】
別の光ディスク記録装置でデータを記録した書換型光ディスクにデータを上書きする場合、旧データの方が強い記録パワーで記録されているなど記録条件が異なると、旧データを完全に消去することができずに、上書きした新データのジッタが悪くなりエラーレートが高くなることがある。この構成においては、書換型光ディスクに記録された旧データの再生信号に応じた記録条件を適用してデータを上書きするので、旧データを完全に消去することができ、旧データの影響を受けることなく上書きした新データを再生することが可能となる。
【００２４】
（２）書換型光ディスクに記録されている旧データ上に新データを上書きする時に、この旧データの再生信号からクロストーク量を検出し、前記検出したクロストーク量に基づいて記録条件を設定し、この記録条件を適用して新データを上書きすることを特徴とする。
【００２５】
クロストーク量は、書換型光ディスクに照射する記録パワーが高くなり、ピットの幅が太くなるほど大きくなるという特性があるので、クロストーク量を比較することで、旧データの記録パワー値を推測することが可能である。したがって、書換型光ディスクに記録されたデータの再生信号から検出したクロストーク量に基づいて記録条件を設定して上書きすることで、旧データを完全に消去して、新データのジッタの悪化を防止してエラーレートを低くすることができる。
【００２６】
（３）前記記録条件を、前記検出したクロストーク量と基準クロストーク量との差に応じて設定する。
【００２７】
書換型光ディスクに記録されたデータの再生信号から検出したクロストーク量と、基準クロストーク量と、の差を求めることで、基準の記録パワー（最適記録パワー）に対して旧データをどのくらいのパワーで記録したかを把握できるので、消去パワーなどの記録条件を容易に設定して、データを上書きすることができ、旧データを完全に消去して新データを記録することが可能となる。
【００２８】
（４）前記基準クロストーク量は、前記書換型光ディスクの試し書き領域で試し書きを行って最適記録パワーを決定し、この最適記録パワーで記録したデータの再生信号から検出したクロストーク量である。
【００２９】
この構成においては、書換型光ディスクに試し書きを行って最適記録パワーを決定し、この最適記録パワーで記録したテストデータの再生を行う。そして、再生信号からクロストーク量の値を求め、この値を基準クロストーク量とする。したがって、新しく発売された書換型光ディスクであっても、その書換型光ディスクに最適な記録条件を、ファームウェアなどの更新を行うことなく速やかに決定することができる。
【００３０】
（５）書換型光ディスクに記録されている旧データ上に新データを上書きする時に、前記旧データの再生信号の振幅のピークトゥピーク値を取得し、前記振幅のピークトゥピーク値に基づいて記録条件を設定し、この記録条件を適用して新データを上書きする。
【００３１】
書換型光ディスクに記録されたデータの振幅のピークトゥピーク値は、書換型光ディスクに照射する記録パワーが高くなり、ピットの幅が太くなるほど大きくなるという特性があるので、再生信号の振幅のピークトゥピーク値に基づいて旧データの記録パワー値を推測することが可能である。したがって、書換型光ディスクに記録されたデータの再生信号の振幅のピークトゥピーク値に基づいて記録条件を設定して上書きすることで、旧データを完全に消去でき、新データのジッタの悪化を防止してエラーレートを低くすることができる。
【００３２】
（６）前記記録条件を、前記書換型光ディスクの試し書き領域で試し書きを行って最適記録パワーを決定し、この最適記録パワーで記録したデータの再生信号の振幅のピークトゥピーク値と、旧データの再生信号の振幅のピークトゥピーク値と、の差に応じて設定する。
【００３３】
書換型光ディスクに記録された旧データを再生して、振幅のピークトゥピーク値を検出して、この振幅のピークトゥピーク値と最適記録パワーで記録したデータの振幅のピークトゥピーク値とを比較することで、旧データの記録パワー値を推測することが可能となる。したがって、振幅のピークトゥピーク値の比較結果に応じて消去パワーや記録パワーなどの記録条件を変更してオーバーライトすることで、旧データを記録した光ディスク記録装置と異なる光ディスク記録装置でデータのオーバーライトする際に、旧データを完全に消去できるので、ジッタの悪化を防止してエラーレートを低くすることができる。
【００３４】
（７）書換型光ディスクに記録されている旧データ上に新データを上書きする時に、前記書換型光ディスクの試し書き領域へ照射するレーザパワーを所定量ずつ変化させながら試し書きを行い、この試し書きを行ったデータの再生信号から最適記録パワーを決定し、この最適記録パワーによって記録されたデータの再生信号の振幅のピーク値とボトム値とから第１の振幅のピークトゥピーク値を取得し、
前記旧データを再生した再生信号の振幅のピーク値とボトム値とから第２の振幅のピークトゥピーク値を取得し、
前記第１の振幅のピークトゥピーク値と前記第２の振幅のピークトゥピーク値との差に応じて、前記書換型光ディスクへ照射するレーザ光の消去パワーを補正し、この補正した消去パワーを適用して新データを上書きすることを特徴とする。
【００３５】
書換型光ディスクに記録された旧データの再生信号の振幅のピークトゥピーク値と、最適記録パワーで記録したデータの振幅のピークトゥピーク値と、の差を求めることで、旧データと上書きするデータとの記録条件の差を求めることができる。したがって、この差に応じて消去パワーを補正することで、旧データを完全に消去して、最適な記録条件で上書きするデータを記録することができる。
【００３６】
（８）書換型光ディスクに記録されたデータを再生する再生手段と、
前記再生手段の再生信号からクロストーク量を検出するクロストーク検出手段と、
前記クロストーク検出手段が検出したクロストーク量に基づいて記録条件を設定する記録条件設定手段と、
前記記録条件設定手段によって設定された記録条件を適用して前記旧データ上に新データを上書きする記録手段と、
を備えたことを特徴とする。
【００３７】
この構成においては、（２）と同様の効果を得ることができる。
【００３８】
（９）書換型光ディスクに記録されたデータを再生する再生手段と、
前記再生手段の再生信号の振幅のピークトゥピーク値を取得するエンベロープ検出手段と、
前記エンベロープ検出手段が取得した振幅のピークトゥピーク値に基づいて記録条件を設定する記録条件設定手段と、
前記記録条件設定手段によって設定された記録条件を適用して前記旧データ上に新データを上書きする記録手段と、
を備えたことを特徴とする。
【００３９】
この構成においては、（４）と同様の効果を得ることができる。
【００４０】
【発明の実施の形態】
以下の説明では、書換型光ディスクの一例としてＣＤ−ＲＷにデータをオーバーライトする場合について説明する。まず、本発明の実施形態に係る光ディスク記録装置の詳細について説明する。図６は、本発明の実施形態に係る光ディスク記録装置の構成を示したブロック図である。本実施形態では、光ディスクに照射する光ビームとしてレーザ光を用いる構成を示す。図６に示すように、光ディスク記録装置１は、光ピックアップ１０、スピンドルモータ１１、ＲＦアンプ１２、サーボ回路１３、ＡＴＩＰ検出回路１４、デコーダ１５、制御部１６、エンコーダ１７、ストラテジ回路１８、レーザドライバ１９、レーザパワー制御回路２０、周波数発生器２１、クロストーク検出回路２２、エンベロープ検出回路２３、再生信号品位検出回路部２４、記憶部２５、操作部２７、及び表示部２８を備えている。また、光ピックアップ１０、サーボ回路１３、エンコーダ１７、ストラテジ回路１８、レーザドライバ１９及びレーザパワー制御回路２０によって、データの記録手段である記録部２９が構成されている。さらに、光ピックアップ１０及びＲＦアンプ１２によって、データの再生手段である再生部３０が構成されている。
【００４１】
スピンドルモータ１１は、データの記録対象である光ディスクＤを回転駆動するモータである。また、スピンドルモータの回転軸先端部には、光ディスクを保持（チャッキング）するためのターンテーブルなどからなる図外の光ディスク保持機構が設けられている。
【００４２】
光ピックアップ１０は、レーザダイオード、レンズ及びミラーなどの光学系、戻り光（反射光）受光素子、並びにフォーカスサーボ機構などを備えている。また、記録及び再生時にはレーザ光を光ディスクＤに対して照射して、光ディスクＤからの戻り光を受光して受光信号であるＥＦＭ（Ｅｉｇｈｔ  ｔｏ  Ｆｏｕｒｔｅｅｎ  Ｍｏｄｕｌａｔｉｏｎ）変調されたＲＦ信号をＲＦアンプ１２に出力する。なお、フォーカスサーボ機構は、光ピックアップ１０のレンズと光ディスクのデータ面との距離を一定に保つためのサーボ機構である。また、光ピックアップ１０は、モニタダイオードを備えており、光ディスクＤの戻り光によってモニタダイオードに電流が生じ、この電流がレーザパワー制御回路２０へ供給されるようになっている。
【００４３】
周波数発生器２１は、スピンドルモータ１１が出力した回転角度や回転数を検出して、その信号をサーボ回路１３に出力する。
【００４４】
ＲＦアンプ１２は、光ピックアップ１０から供給されるＥＦＭ変調されたＲＦ信号を増幅して、増幅後のＲＦ信号をサーボ回路１３、ＡＴＩＰ検出回路１４、クロストーク検出回路２２、エンベロープ検出回路２３、再生信号品位を測定する再生信号品位検出回路部２４、及びデコーダ１５に出力する。
【００４５】
デコーダ１５は、再生時には、ＲＦアンプ１２から供給されるＥＦＭ変調されたＲＦ信号をＥＦＭ復調して再生データを生成し、記憶部２５に出力する。また、デコーダ１５は、記録時には、テスト記録によって記録された領域を再生する際に、ＲＦアンプ１２から供給されたＲＦ信号をＥＦＭ復調する。
【００４６】
本実施形態に係る光ディスク記録装置１では、データを記録する際に、本データの記録に先立ち、光ディスクＤの内周側のＰＣＡ（Ｐｏｗｅｒ  Ｃａｌｉｂｒａｔｉｏｎ  Ａｒｅａ  ）領域にテスト記録を行う。そして、このテスト記録した領域の再生結果に基づいて、光ディスクＤに対して良好な記録を行える記録条件を求めるように構成されている。
【００４７】
ここで、光ディスクＤのテスト記録を行う領域について、図７を用いて説明する。図７は、光ディスクの領域構成を示した断面図である。光ディスクＤの外径は１２０ｍｍであり、光ディスクＤの直径４６〜５０ｍｍの区間がリードイン領域１１４として用意され、その外周側にデータを記録するプログラム領域１１８及び残余領域１２０が用意されている。一方、リードイン領域１１４よりも内周側には、内周側ＰＣＡ領域１１２が用意されている。また、内周側ＰＣＡ領域１１２には、テスト領域１１２ａと、カウント領域１１２ｂと、が用意されている。このテスト領域１１２ａには、前述のように本記録に先立ち、テスト記録が実施される。ここで、テスト領域１１２ａとしては、テスト記録を複数回行える領域が用意されている。また、カウント領域１１２ｂには、テスト記録終了時にテスト領域１１２ａのどの部分まで記録が終了しているかを示すＥＦＭ信号が記録される。したがって、次にこの光ディスクＤに対してテスト記録を行う際には、カウント領域１１２ｂのＥＦＭ信号を検出することにより、テスト領域１１２ａのどの位置からテスト記録を開始すれば良いかが、わかるようになっている。本実施形態に係る光ディスク記録装置１では、データの本記録を行う前に上記のテスト領域１１２ａへテスト記録を行っている。
【００４８】
図６に戻り、記憶部２５は、デコーダ１５から出力された光ディスクＤの再生データや、光ディスク記録装置１の外部から入力されたデータなどを一旦記憶する。そして、再生時には記憶したデータを図外のデータ再生部へ出力し、記録用光ディスクにデータを記録する時には、記憶したデータをエンコーダ１７へ出力する。
【００４９】
ＡＴＩＰ検出回路１４は、ＲＦアンプ１２から供給されたＲＦ信号中に含まれるウォブル信号成分を抽出し、このウォブル信号成分に含まれる各位置の時間情報（アドレス情報）、及び光ディスクを識別する識別情報（ディスクＩＤ）やディスクに使われている色素などのディスクの種類を示す情報を復号し、制御部１６に出力する。ここで、ウォブル信号成分とは、記録用光ディスクの蛇行した記録トラックの蛇行周波数を表す信号成分であり、時間情報や識別情報などは蛇行周波数をＦＭ変調することで記録されている。
【００５０】
クロストーク検出回路２２は、光ディスクに記録されたデータを再生して、隣接トラックの信号量（クロストーク量）を検出する。このクロストーク量は、トラックピッチやピットの幅（形状）によって変化する。
【００５１】
エンベロープ検出回路２３は、光ディスクＤへテスト記録を行う前に、光ディスクＤのテスト領域１１２ａのどの部分からテスト記録を開始するかを検出するために、上述した光ディスクＤのカウント領域１１２ｂでのＥＦＭ信号のエンベロープを検出する。
【００５２】
再生信号品位検出回路部２４は、光ディスクＤのテスト記録領域を再生している時に、ＲＦアンプ１２から供給されるＲＦ信号から再生信号品位に関係するβ値やアシンメトリを算出し、算出結果を制御部１６に出力する。ここで、β値は、ＥＦＭ変調された信号波形のピークレベル（符号は＋）をａ、ボトムレベル  （符号は−）をｂとすると、β＝（ａ＋ｂ）／（ａ−ｂ）で求めることができる。
【００５３】
サーボ回路１３は、スピンドルモータ１１の回転制御、並びに光ピックアップ１０のフォーカス制御、トラッキング制御、及び送り制御を行う。本実施形態に係る光ディスク記録装置１では記録時には、光ディスクＤを角速度一定で駆動する方式であるＣＡＶ（Ｃｏｎｓｔａｎｔ  Ａｎｇｕｌａｒ  Ｖｅｌｏｃｉｔｙ）方式と、光ディスクＤを線  速度一定にして駆動する方式であるＣＬＶ（Ｃｏｎｓｔａｎｔ  Ｌｉｎｅａｒ  Ｖｅｌｏｃｉｔｙ）方式と、を切り替えることができるようになっている。そのため、サーボ回路１３は、制御部１６から供給される制御信号に応じてＣＡＶ方式とＣＬＶ方式とを切り替える。ここで、サーボ回路１３によるＣＡＶ制御では、周波数発生器２１によって検出されるスピンドルモータ１１の回転数が、設定した回転数と一致するように制御される。また、サーボ回路１３によるＣＬＶ制御では、ＲＦアンプ１２から供給されるＲＦ信号中のウォブル信号が設定された速度倍率になるように、スピンドルモータ１１が制御される。
【００５４】
エンコーダ１７は、記憶部２５から供給される記録データをＥＦＭ変調し、ストラテジ回路１８に出力する。ストラテジ回路１８は、エンコーダ１７から供給されたＥＦＭ信号に対して時間軸補正処理などを行い、レーザドライバ１９に出力する。レーザドライバ１９は、ストラテジ回路１８から供給される記録データに応じて変調された信号と、レーザパワー制御回路２０の制御に従って光ピックアップ１０のレーザダイオードを駆動する。
【００５５】
レーザパワー制御回路２０は、光ピックアップ１０のレーザダイオードから照射されるレーザパワーを制御する。具体的には、レーザパワー制御回路２０は、光ピックアップ１０のモニタダイオードから供給される電流値と、制御部１６から供給される最適なレーザパワーの目標値を示す情報と、に基づいて、最適なレーザパワーのレーザ光が光ピックアップ１０から照射されるように、レーザドライバ１９を制御する。
【００５６】
制御部１６は、ＣＰＵ、ＲＯＭ、及びＲＡＭ等から構成されており、ＲＯＭに格納されたプログラムに従って光ディスク記録装置１の各部を制御する。また、制御部１６は、上述したようにデータの本記録に先立ち、光ディスク記録装置１にセットされた光ディスクＤの所定の領域に対し、テスト記録を行うように装置の各部を制御する。そして、制御部１６では、上述したテスト記録された領域を再生している際に得られる信号から、信号品位検出回路２４によって検出されたβ値などの再生信号品位に基づいて、光ディスク記録装置１がテスト記録を行った光ディスクＤに対して、再生信号品位と、目標βやライトストラテジなどの装置記録パラメータ（記録条件）との関係を求めることにより、記録エラーのない良好な記録を行うことができる記録可能速度を求める記録速度判定処理などを行う。
【００５７】
記憶部２５は、書換型光ディスクの型番毎に基準クロストーク量ＣＴ０を記憶している。操作部２７は、光ディスクにデータを記録する操作を行うためのものである。表示部２８は、操作部２７で行った操作内容などユーザに伝達したい内容を、表示するためのものである。
【００５８】
［第１実施形態］
次に、本発明の第１実施形態に係る光ディスク記録装置について説明する。図８は、記録領域と再生スポットとの関係を示した模式図であり、（Ａ）が最適記録パワーで記録された領域と再生スポットとの関係を示し、（Ｂ）が最適記録パワーよりもハイパワーで記録された領域と再生スポットとの関係を示す。図８  （Ａ）に示すように、最適記録パワーでデータを記録すると、ピット（書換型光ディスクにレーザ光を照射して記録層をアモルファス状態にした部分）の幅が適正であるため、スポットがランド上に位置する時にピットから受ける影響は小さいので反射光の信号レベル低下は少ない。また、このように最適記録パワーでデータを記録した場合、あるトラックを再生中に他のトラックからの影響（クロストーク量）はほとんどない。一方、図８（Ｂ）に示すように、最適記録パワーよりもハイパワーでデータを記録するとピットの幅が太くなるため、スポットがランド上に位置する時にピットからより多くの影響を受けるため反射光の信号レベルがより低下してしまう。このように、書換型光ディスクは、記録パワーに応じてピットの幅が異なり、それに応じてクロストーク量が異なる。
【００５９】
そこで、本発明の第１実施形態に係る光ディスク記録装置は、書換型光ディスクの最適記録パワー時のクロストーク量を記憶しておき、書換型光ディスクにデータをオーバーライトする際に、この書換型光ディスクに記録されたデータを再生して、再生信号中のクロストーク量を検出して、このクロストーク量と基準クロストーク量とを比較する。クロストーク量は、上記のように、ピットの幅が太くなるほど、つまり記録パワーが高いほど大きくなるという特性があるので、クロストーク量を比較することで、記録パワー値を検出することが可能である。本発明の第１実施形態に係る光ディスク記録装置では、この特性を利用して、両データのクロストーク量を比較して、この比較結果に応じて消去パワーや記録パワーなどの記録条件を変更して（例えば、旧データを記録した光ディスク記録装置と同様の記録条件に変更して）オーバーライトする。これにより、旧データを記録した光ディスク記録装置と異なる光ディスク記録装置でデータのオーバーライトする際に、旧データを完全に消去できるので、ジッタの悪化を防止してエラーレートを低くすることができる。
【００６０】
クロストーク量の比較結果に応じて変更する記録条件としては、書換型光ディスクにオーバーライトする際に、上書きする旧データが確実に消去できるように、光ディスク記録装置が書換型光ディスクに照射するレーザ光の消去パワーを変更すると良い。また、記録パワー、ボトムパワー（バイアスパワー）、ε（消去パワー／記録パワー）、ライトストラテジ、ＯＰＣで得た記録パワーの補正値などの条件を変更して、元の光ディスク記録装置と同様にデータをオーバーライト（消去及び記録）できるようにしても良い。
【００６１】
但し、旧データを記録した光ディスク記録装置の記録パワーの方が、オーバーライトする光ディスク記録装置の記録パワーよりも弱い場合などでは、消去パワー及び記録パワーを大きくしなければならないため、書換型光ディスクや光ディスク記録装置１のレーザダイオードの劣化が早まってしまう。そこで、このような場合は、書換型光ディスクにオーバーライトする際に、書換型光ディスクに照射するレーザ光の消去パワーを旧データのクロストーク量に応じて強くするとともに、記録パワーは変更せずに光ディスク記録装置に自己の初期値として設定された値を用いてデータをオーバーライトするように設定すると良い。これにより、書換型光ディスクや光ディスク記録装置１のレーザダイオードの劣化を抑制することができる。
【００６２】
また、旧データを記録した光ディスク記録装置の記録パワーよりも、オーバーライトする光ディスク記録装置の記録パワーの方が強い場合などでは、消去パワー及び記録パワーを変更せずに初期設定値のまま上書きすれば良い。
【００６３】
図９は、クロストーク検出回路の詳細を示したブロック図である。図１０は、光ピックアップを移動させた際に出力される信号と、クロストーク量の定義を示した波形図である。光ディスク記録装置１では、前記のようにクロストーク検出回路２２でクロストーク量を検出する。図９に示すように、クロストーク検出回路２２は、ローパスフィルタ（ＬＰＦ）３１、ボトムホールド回路（Ｂ／Ｈ）３２、ピークホールド回路（Ｐ／Ｈ）３３、及び演算回路３４から成る。
【００６４】
ローパスフィルタ３１は、ＲＦアンプから出力された信号中の高周波成分をカットして低周波成分をボトムホールド回路３２及びピークホールド回路３３へ出力する。ボトムホールド回路３２は、ローパスフィルタ３１から出力された信号のボトム値Ａをホールドして出力する。ピークホールド回路３３は、ローパスフィルタ３１から出力された信号のピーク値Ｂをホールドして出力する。演算回路３４は、ボトムホールド回路３２から出力されたボトム値Ａ及びピークホールド回路３３から出力されたピーク値Ｂを用いて演算を行いクロストーク量を求める。
【００６５】
クロストーク検出回路２２では、以下のような処理が行われる。光ディスクを回転させながら光ピックアップを移動させると、図１０（Ａ）に示すように、ＲＦアンプ１２から信号Ｉが出力される。信号Ｉは、ミラーレベルに対して反射率の低いピット部分でレベルの下がる信号である。ピット信号（ＥＦＭ）は、高周波数信号である。また、ピット信号のボトムレベルは、ランドとグルーブの繰り返し周期によっても増減があり、そのエンベロープ信号には所定周期のレベル増減が見られる。図１０（Ａ）において実線で示したエンベロープは、最適記録パワーで記録された部分を再生した場合のエンベロープであり、図１０（Ａ）において、波線で示したエンベロープは高パワーで記録された部分を再生した場合のエンベロープである。
【００６６】
ＲＦアンプ１２から出力された信号Ｉは、ローパスフィルタ３１を通過すると図に示した信号ＩＩとなる。信号ＩＩは、信号Ｉの下側エンベロープ信号であり、グルーブにおいて最下端レベルとなり、ランドにおいて上端レベルとなる。ボトムホールド回路３２は、ローパスフィルタ３１から出力された信号ＩＩの最下端レベルをＡレベルとしボトムホールド行って取得する。また、ピークホールド回路３３は、ローパスフィルタ３１から出力された信号ＩＩの上端レベルをＢレベルとしてピークホールド行って取得する。演算回路３４は、ボトムホールド回路３２から出力されたボトム値Ａ及びピークホールド回路３３から出力されたピーク値Ｂを用いて減算Ｂ／Ａを行うことでクロストークレベルを算出する。
【００６７】
光ディスク記録装置１では、書換型光ディスクにオーバーライトする場合、以下のような処理を行う。図１１は、第１実施形態に係る光ディスク記録装置のクロストーク量の検出動作を説明するためのフローチャートである。
【００６８】
ユーザは、ＣＤ−ＲＷにデータを記録する場合、まず、光ディスク記録装置１のディスクトレイにＣＤ−ＲＷをセットする。光ディスク記録装置１の制御部１６は、ＣＤ−ＲＷがセットされたことを検出すると（ｓ１）、ＣＤ−ＲＷをチャキングした後、所定の場所まで光ピックアップを移動し、レーザ光を照射して初期情報を取得する（ｓ２）。具体的には、まず、制御部１６は、光ディスクの種類を識別するためにレーザ光の反射率を判定する。この時、光ディスクの反射率が低くければ書換型の光ディスク（ＣＤ−ＲＷ）であり、反射率が高ければ追記型の光ディスク（ＣＤ−Ｒ）または読出型（非記録型）の光ディスク（ＣＤ−ＲＯＭ）であると判定できる。また、制御部１６は、光ディスク記録装置１にセットされた光ディスクのリードインエリアにおけるウォブル成分の有無を検出し、ウォブル情報があった場合にはＡＴＩＰ情報を検出する。ＡＴＩＰ情報を検出できた場合は、書換型または追記型の光ディスクと判定し、ＡＴＩＰ情報に含まれるディスクＩＤ（メーカーコード）やＳＴＬＩ（Ｓｔａｒｔ  Ｔｉｍｅ  ｏｆ  Ｌｅａｄ−Ｉｎ  Ａｒｅａ：  メーカーコード及びディスクコードに相当）などの情報を各種の制御に利用する。このように、制御部１６は、反射率とＡＴＩＰ情報とによって、書換型、追記型、及び読出型のいずれの光ディスクであるかを判定する。また、ＡＴＩＰ情報によって光ディスクのディスクＩＤを取得する。
【００６９】
続いて、制御部１６は、ユーザがセットしたＣＤ−ＲＷに対して行う処理を問い合わせる内容を表示部２８に表示する（ｓ３）。ユーザは、この表示に応じて、セットしたＣＤ−ＲＷに対して実行させたい処理を入力する。制御部１６は、操作部２７からの入力を検出すると（ｓ４）、データの再生が設定された場合  （ｓ１５）、データの再生処理を行う（ｓ６）。制御部１６は、データの再生が完了すると処理を終了する。
【００７０】
一方、制御部１６は、データの記録が設定された場合（ｓ５）、記録動作が初期記録であるか上書きであるかを判定する（ｓ７）。具体的には、リードインエリア及びＰＭＡにおけるＥＦＭ信号の有無を判定し、双方またはリードインエリアにＥＦＭ信号が記録されていない場合は初期記録と判定する。制御部１６は、ＣＤ−ＲＷがブランクディスクまたは記録途中である場合、光ディスクＤのデータを未記録の領域に初めてデータを記録するので、ＰＣＡでＯＰＣを行って最適記録パワーを決定する（ｓ８）。そして、制御部１６は、ＣＤ−ＲＷにデータを記録または追記して（ｓ９）、処理を終了する。
【００７１】
一方、制御部１６は、ステップｓ７において、ＣＤ−ＲＷのリードインエリア及びＰＭＡにＥＦＭ信号が記録されている場合、上書きを行うと判定して、この書換型光ディスクに記録された旧データを再生する（ｓ１１）。制御部１６は、クロストーク検出回路２２から書換型光ディスクに記録されたデータのクロストーク量ＣＴ１を取得すると（ｓ１２）、記憶部２５から基準クロストーク量ＣＴ０を読み出す（ｓ１３）。続いて、ＣＴ１−ＣＴ０の演算を行い（ｓ１４）、演算結果が０を越える場合（ｓ１５）、記録条件を変更する。例えば、基準消去パワーＰ０ｅ及び基準記録パワーＰ０ｗにＣＴ１／ＣＴ０と所定の計数を掛け合わせて補正を行い、これらの補正値を設定する（ｓ１６）。そして、制御部１６は、これらの補正した消去パワー及び補正した記録パワーで書換型光ディスクにデータをオーバーライトし（ｓ１８）、データの記録が完了したら、処理を終了する。
【００７２】
一方、制御部１６は、ＣＴ１−ＣＴ０の演算結果が０以下である場合（ｓ１５）、記録条件を光ディスク記録装置１に設定された初期値に設定する。すなわち、基準消去パワーＰ０ｅ及び基準記録パワーＰ０ｗに設定して（ｓ１７）、書換型光ディスクにオーバーライトし（ｓ１８）、データの記録が完了したら、処理を終了する。
【００７３】
ここで、基準クロストーク量ＣＴ０は、上記のように記憶部２５に書換型光ディスクの型番毎に記録しておいても良いが、以下のようにして基準クロストーク量ＣＴ０を求めることもできる。すなわち、光ディスク記録装置でデータをオーバーライトする際に、ＯＰＣを行って最適記録パワーを決定して、この最適記録パワーで記録したテストデータの再生を行って、クロストーク量の値を求め、この値を基準クロストーク量ＣＴ０とする。そして、前記のように、書換型光ディスクに記録されていた旧データを再生してこのデータのクロストーク量ＣＴ１を求めて、ＣＴ１−ＣＴ０の差に応じて記録条件を決定するようにすればよい。このようにすることで、記録条件を決定する時間は多少増加するが、新しく発売された書換型光ディスクであっても、その書換型光ディスクに最適な記録条件を、ファームウェアなどの更新を行うことなく速やかに決定することができる。
【００７４】
［第２実施形態］
次に、本発明の第２実施形態に係る光ディスク記録装置について説明する。図１２は、異なる記録パワーで記録したピット、及び各ピットの再生波形を示した図である。図１２（Ａ）において、ピットａは、最適な記録パワーよりも高い記録パワーで、かつ最適なストラテジよりも短いストラテジで記録したピットである。ピットｂは、最適な記録パワーで、かつ最適なストラテジで記録したピットである。ピットｃは、最適な記録パワーよりも低い記録パワーで、かつ最適なストラテジよりも長いストラテジで記録したピットである。図１２（Ａ）に示すように、ピットａ、ピットｂ、及びピットｃの幅の関係は、Ｗａ＞Ｗｂ＞Ｗｃであり、ピットａ、ピットｂ、及びピットｃの長さの関係は、Ｌａ＜Ｌｂ＜Ｌｃである。また、図１２（Ｂ）に示すように、各ピットを再生した場合、再生光スポットとの大きさの関係から、得られる再生信号は、ピットの幅が太いほど振幅のピークトゥピーク値（以下、ＰＰ値と称する。）が大きくなる。しかしながら、図１２  （Ｃ）に示すように、各再生信号を２値化した場合、すべて同じ信号となる。
【００７５】
図１３は、図１２（Ａ）に示した条件で記録した３Ｔ〜１１Ｔのピットを再生した再生信号パターンである。以下、この再生信号パターンをｅｙｅパターンと称する。図１３において、（Ａ）は、最適な記録パワーよりも高い記録パワーで、かつ最適なストラテジよりも短いストラテジで記録したピットの再生信号のｅｙｅパターンである。（Ｂ）は、最適な記録パワーで、かつ最適なストラテジで記録したピットの再生信号のｅｙｅパターンである。（Ｃ）は、最適な記録パワーよりも低い記録パワーで、かつ最適なストラテジよりも長いストラテジで記録したピットの再生信号のｅｙｅパターンである。図１３に示すように、中心波線でスライスされたときの信号はどの条件も同じであるが、ｅｙｅパターンの開度であるＰＰ値は、記録パワーが大きくなるほど大きくなることがわかる。すなわち、図１３に示した各ｅｙｅパターンのＰＰ値の関係は、ＰＰａ＞ＰＰｂ＞ＰＰｃとなる。
【００７６】
そこで、本発明の第２実施形態に係る光ディスク記録装置は、書換型光ディスクにデータをオーバーライトする際に、書換型光ディスクに対してＯＰＣを行って最適記録パワーを求め、最適記録パワーで記録したデータのＰＰ値を算出する。また、この書換型光ディスクに記録された上書きする旧データを再生して、ＰＰ値を検出して、このＰＰ値と、最適記録パワーで記録したデータのＰＰ値と、を比較する。ＰＰ値は、上記のように、記録パワーが高いほど大きくなるという特性があるので、ＰＰ値を比較することで、記録パワー値を検出することが可能である。本発明の第２実施形態に係る光ディスク記録装置では、この特性を利用して、両データのＰＰ値（ｅｙｅパターンの開度）を比較して、その比較結果に応じて消去パワーや記録パワーなどの記録条件を変更して（例えば、旧データを記録した光ディスク記録装置と同様の記録条件に変更して）オーバーライトする。これにより、旧データを記録した光ディスク記録装置と異なる光ディスク記録装置でデータのオーバーライトする際に、旧データを完全に消去できるので、ジッタの悪化を防止してエラーレートを低くすることができる。
【００７７】
ＰＰ値の比較結果に応じて変更する記録条件としては、書換型光ディスクにオーバーライトする際に、上書きする旧データが確実に消去できるように、光ディスク記録装置が書換型光ディスクに照射するレーザ光の消去パワーを変更すると良い。また、記録パワー、ボトムパワー（バイアスパワー）、ε（消去パワー／記録パワー）、ライトストラテジ、ＯＰＣで得た記録パワーの補正値などの条件を変更して、元の光ディスク記録装置と同様にデータをオーバーライト（消去及び記録）できるようにしても良い。
【００７８】
但し、旧データを記録した光ディスク記録装置の記録パワーの方が、オーバーライトする光ディスク記録装置の記録パワーよりも弱い場合などでは、消去パワー及び記録パワーを大きくしなければならないため、書換型光ディスクや光ディスク記録装置１のレーザダイオードの劣化が早まってしまう。そこで、このような場合は、書換型光ディスクにオーバーライトする際に、書換型光ディスクに照射するレーザ光の消去パワーを旧データのＰＰ値に応じて強くするとともに、記録パワーは変更せずに光ディスク記録装置に自己の初期値として設定された値を用いてデータをオーバーライトするように設定すると良い。これにより、書換型光ディスクや光ディスク記録装置１のレーザダイオードの劣化を抑制することができる。
【００７９】
図１４は、エンベロープ検出回路の詳細を示したブロック図である。光ディスク記録装置１では、エンベロープ検出回路２３で再生信号のＰＰ値を検出する。図１４に示すように、エンベロープ検出回路２３は、ＡＣカプラ４１、ボトムホールド回路（Ｂ／Ｈ）４２、ピークホールド回路（Ｐ／Ｈ）４３、及び演算回路（オペアンプ）４４から成る。
【００８０】
ＡＣカプラ４１は、ＲＦアンプ１２から出力された信号中の直流成分をカットして交流成分をボトムホールド回路４２及びピークホールド回路４３へ出力する。ボトムホールド回路４２は、ＡＣカプラ４１から出力された信号のボトム値  （ローレベル側のピーク値）Ａをホールドして出力する。ピークホールド回路３３は、ＡＣカプラ４１から出力された信号のピーク値（ハイレベル側のピーク値）Ｂをホールドして出力する。演算回路４４は、ボトムホールド回路３２から出力されたボトム値Ａ及びピークホールド回路３３から出力されたピーク値Ｂを用いて演算を行いＰＰ値を求める。エンベロープ検出回路２３では、上記のような処理を行う各回路を連携させて、書換型光ディスクに記録されていた元データの再生信号のｅｙｅパターンのＰＰ値を求める。
【００８１】
また、光ディスク記録装置１では、データをオーバーライトする場合に、既記録ピットの記録条件が最適記録パワーよりも高い記録パワーであったかどうかを確認する。これは、図３に基づいて説明したように、オーバーライト時に記録条件が適切でないと、旧データが十分に消去されないことがあるからである。そのため、光ディスク記録装置１では、上書き対象のトラックの記録ピット上に、再生パワーレベルの光ビームを照射して再生信号を得る。エンベロープ検出回路２３では、ＲＦアンプ１２から出力された再生信号がＡＣカプラ４１を通過後に、ボトムホールド回路４２でボトム値が、また、ピークホールド回路４３でピーク値がホールド取得され、これらの値の差分からＰＰ値（ｅｙｅパターン開度信号）を求めて、制御部１６に出力する。
【００８２】
最適記録パワーでデータを記録した記録領域のＰＰ値はＯＰＣ時に取得しても良いし、別の機会に取得しても良い。制御部１６は、両ＰＰ値の差分から、どちらのｅｙｅパターンがより開いているかを判断し、その差に応じて消去パワーを最適化する。上書き対象領域のｅｙｅパターンが大きい場合は、消去パワーを増大させる制御を行う。
【００８３】
次に、本発明の第２実施形態に係る光ディスク記録装置が、書換型光ディスクにオーバーライトする際の処理について説明する。図１５は、第２実施形態に係る光ディスク記録装置のＰＰ値の検出動作を説明するためのフローチャートである。
【００８４】
図１５に示すように、ユーザは、ＣＤ−ＲＷにデータを記録する場合、まず、光ディスク記録装置１のディスクトレイにＣＤ−ＲＷをセットする。光ディスク記録装置１の制御部１６は、ＣＤ−ＲＷがセットされたことを検出すると（ｓ２１）、ＣＤ−ＲＷをチャキングした後、所定の場所まで光ピックアップを移動し、レーザ光を照射して初期情報を取得する（ｓ２２）。具体的には、まず、制御部１６は、光ディスクの種類を識別するためにレーザ光の反射率を判定する。この時、光ディスクの反射率が低くければ書換型の光ディスク（ＣＤ−ＲＷ）であり、反射率が高ければ追記型の光ディスク（ＣＤ−Ｒ）または読出型（非記録型）の光ディスク（ＣＤ−ＲＯＭ）であると判定できる。また、制御部１６は、光ディスク記録装置１にセットされた光ディスクのリードインエリアにおけるウォブル成分の有無を検出し、ウォブル情報があった場合にはＡＴＩＰ情報を検出する。ＡＴＩＰ情報を検出できた場合は、書換型または追記型の光ディスクと判定し、ＡＴＩＰ情報に含まれるディスクＩＤ（メーカーコード）やＳＴＬＩ（Ｓｔａｒｔ  Ｔｉｍｅ  ｏｆ  Ｌｅａｄ−Ｉｎ  Ａｒｅａ：メーカーコード及びディスクコードに相当）などの情  報を各種の制御に利用する。このように、制御部１６は、反射率とＡＴＩＰ情報とによって、書換型、追記型、及び読出型のいずれの光ディスクであるかを判定する。また、ＡＴＩＰ情報によって光ディスクのディスクＩＤを取得する。
【００８５】
続いて、制御部１６は、ユーザがセットしたＣＤ−ＲＷに対して行う処理を問い合わせる内容を表示部２８に表示する（ｓ２３）。ユーザは、この表示に応じて、セットしたＣＤ−ＲＷに対して実行させたい処理を入力する。制御部１６は、操作部２７からの入力を検出すると（ｓ２４）、データの再生が設定された場合（ｓ２５）、データの再生処理を行う（ｓ２６）。制御部１６は、データの再生が完了すると処理を終了する。
【００８６】
一方、制御部１６は、データの記録が設定された場合（ｓ２５）、記録動作が初期記録であるか上書きであるかを判定する（ｓ２７）。具体的には、リードインエリア及びＰＭＡにおけるＥＦＭ信号の有無を判定し、双方またはリードインエリアにＥＦＭ信号が記録されていない場合は初期記録と判定する。制御部１６は、ＣＤ−ＲＷがブランクディスクまたは記録途中である場合、光ディスクＤのデータを未記録の領域に初めてデータを記録するので、ＰＣＡでＯＰＣを行って最適記録パワーを決定する（ｓ２８）。そして、制御部１６は、ＣＤ−ＲＷにデータを記録または追記して（ｓ２９）、処理を終了する。
【００８７】
一方、制御部１６は、ステップｓ２７において、ＣＤ−ＲＷのリードインエリア及びＰＭＡにＥＦＭ信号が記録されている場合、上書きを行うと判定して、まずＯＰＣを行って最適記録パワーを決定する（ｓ３１）。具体的には、ＣＤ−ＲＷのＰＣＡにて、所定のパワー増分を繰り返して１５段階のパワーレベルで試し書きを行う。続いて、試し書きしたデータを再生し、再生信号を再生信号品位検出回路部２４へ出力し、β値を求めて、このβ値が所定の値に最も近い領域を記録したパワーレベルを最適記録パワーレベルとする。
【００８８】
続いて、光ディスク記録装置１の制御部１６は、最適記録パワーで記録したデータを再生して（ｓ３２）、エンベロープ検出回路２３から出力されたＰＰ値ｐ０を取得して、一時的に保持（記憶）する（ｓ３３）。また、制御部１６は、書換型光ディスクに記録された旧データを再生して（ｓ３４）、エンベロープ検出回路２３から出力されたＰＰ値Ｐ１を取得する（ｓ３５）。そして、ＰＰ値Ｐ０とＰＰ値Ｐ１との差分を演算して、この差分に応じて消去パワーを最適化する  （ｓ３６）。Ｐ０−Ｐ１＜０の場合は、記録条件を変更する。例えば、旧データの方が記録パワーが大きいので、消去パワーを基準値よりも大きな所定の値に設定する（ｓ３７）。そして、制御部１６は、この補正した消去パワーを適用して書換型光ディスクにデータをオーバーライトし（ｓ３９）、データの記録が完了したら、処理を終了する。
【００８９】
一方、制御部１６は、Ｐ０−Ｐ１≧０である場合は、記録条件を光ディスク記録装置１に設定された初期値に設定する。すなわち、基準消去パワーＰ０ｅ及び基準記録パワーＰ０ｗに設定して（ｓ３８）、書換型光ディスクにオーバーライトし（ｓ３９）、データの記録が完了したら、処理を終了する。
【００９０】
以上、記録媒体がＣＤ−ＲＷの場合について説明したが、本発明はＤＶＤ−ＲＷ及びＤＶＤ＋ＲＷの場合にも適用可能である。
【００９１】
【発明の効果】
本発明によれば、以下の効果が得られる。
【００９２】
（１）書換型光ディスクに記録された旧データの再生信号に応じた記録条件を適用してデータを上書きするので、旧データを完全に消去することができ、旧データの影響を受けることなく上書きした新データを再生することができる。
【００９３】
（２）クロストーク量は、書換型光ディスクに照射する記録パワーが高くなり、ピットの幅が太くなるほど大きくなるという特性があるので、クロストーク量を比較することで、旧データの記録パワー値を推測することができる。
【００９４】
（３）書換型光ディスクに記録されたデータの再生信号から検出したクロストーク量と、基準クロストーク量と、の差を求めることで、基準の記録パワー（最適記録パワー）に対して旧データをどのくらいのパワーで記録したかを把握できる。
【００９５】
（４）最適記録パワーで記録したテストデータの再生を行うことで、再生信号からクロストーク量の値を求め、この値を基準クロストーク量とするので、新しく発売された書換型光ディスクであっても、その書換型光ディスクに最適な記録条件を、ファームウェアなどの更新を行うことなく速やかに決定することができる。
【００９６】
（５）書換型光ディスクに記録されたデータの振幅のピークトゥピーク値は、書換型光ディスクに照射する記録パワーが高くなり、ピットの幅が太くなるほど大きくなるという特性があるので、再生信号の振幅のピークトゥピーク値に基づいて旧データの記録パワー値を推測することができる。
【００９７】
（６）書換型光ディスクに記録された旧データを再生して、振幅のピークトゥピーク値を検出して、この振幅のピークトゥピーク値と最適記録パワーで記録したデータの振幅のピークトゥピーク値とを比較することで、旧データの記録パワー値を推測できる。
【００９８】
（７）書換型光ディスクに記録された旧データの再生信号の振幅のピークトゥピーク値と、最適記録パワーで記録したデータの振幅のピークトゥピーク値と、の差を求めることで、旧データと上書きするデータとの記録条件の差を求めることができる。これにより、この差に応じて消去パワーを補正することで、旧データを完全に消去して、最適な記録条件で上書きするデータを記録することができる。
【図面の簡単な説明】
【図１】書換型光ディスクのオーバーライト回数とジッタとの関係、及び異なる記録パワーで光ディスクにオーバーライトを行った時のジッタの変化を示したグラフである。
【図２】書換型光ディスクに形成されるピットの形状を示した図である。
【図３】書換型光ディスクにオーバーライトする際のイメージ図である。
【図４】書換型光ディスク用のライトストラテジの一例である。
【図５】光ディスク記録装置のレーザ光のスポット形状及び書換型光ディスクに形成されるピットの形状を示した図である。
【図６】本発明の実施形態に係る光ディスク記録装置の構成を示したブロック図である。
【図７】光ディスクの領域構成を示した断面図である。
【図８】記録領域と再生スポットとの関係を示した模式図である。
【図９】クロストーク検出回路の詳細を示したブロック図である。
【図１０】光ピックアップを移動させた際に出力される信号と、クロストーク量の定義を示した波形図である。
【図１１】第１実施形態に係る光ディスク記録装置のクロストーク量の検出動作を説明するためのフローチャートである。
【図１２】異なる記録パワーで記録したピット、及び各ピットの再生波形を示した図である。
【図１３】図１２（Ａ）に示した条件で記録した３Ｔ〜１１Ｔのピットを再生した再生信号パターンである。
【図１４】エンベロープ検出回路の詳細を示したブロック図である。
【図１５】第２実施形態に係る光ディスク記録装置のＰＰ値の検出動作を説明するためのフローチャートである。
【符号の説明】
１−光ディスク記録装置      １０−光ピックアップ
１１−スピンドルモータ        １２−ＲＦアンプ
１３−サーボ回路              １４−ＡＴＩＰ検出回路
１６−制御部                  ２０−レーザパワー制御回路
２２−クロストーク検出回路    ２３−エンベロープ検出回路
２５−記憶部                  ２８−表示部
【図１】
2004273073.tif 000003
【図２】
2004273073.tif 000004
【図３】
2004273073.tif 000005
【図４】
2004273073.tif 000006
【図５】
2004273073.tif 000007
【図６】
2004273073.tif 000008
【図７】
2004273073.tif 000009
【図８】
2004273073.tif 000010
【図９】
2004273073.tif 000011
【図１０】
2004273073.tif 000012
【図１１】
2004273073.tif 000013
【図１２】
2004273073.tif 000014
【図１３】
2004273073.tif 000015
【図１４】
2004273073.tif 000016
【図１５】
2004273073.tif 000017